(57)【要約】  【課題】  作業機が傾斜しても、燃料を燃料タンクからキャブレタに円滑に供給する燃料供給装置を提供すること。  【解決手段】  燃料タンク９は、キャブレタ１２の前上方から後上方に亘って配置されている。燃料タンク９には、燃料タンク９の前後に亘ってメインタンク室９ａおよびサブタンク室９ｂそれぞれが順次設けられている。メインタンク室９ａおよびサブタンク室９ｂは、メインタンク室９ａの少なくとも一部がキャブレタ１２の前上方に配置され、サブタンク室９ｂの少なくとも一部がキャブレタ１２の後前方に配置されている。【選択図】    図１
2006274879.tif 000002
【特許請求の範囲】
【請求項１】
作業用エンジン（３）のキャブレタ（１２）上方に配置された燃料タンク（９）と、燃料タンク（９）からキャブレタ（１２）に配管された燃料供給管（１０）と、燃料供給管（１０）の途中に設けられた燃料コック（１１）とを備える作業用エンジンの燃料供給装置において、
燃料タンク（９）には、作業機（１）の前後方向に亘ってメインタンク室（９ａ）およびサブタンク室（９ｂ）それぞれが順次設けられ、
燃料供給管（１０）はメインタンク室（９ａ）およびサブタンク室（９ｂ）それぞれから燃料コック（１１）を介してキャブレタ（１２）に配管され、
燃料コック（１１）は、開いた状態では、メインタンク室（９ａ）およびサブタンク室（９ｂ）の両方が燃料供給管（１０）を介してキャブレタ（１２）に常時連通するように設けられている作業用エンジンの燃料供給装置。
【発明の詳細な説明】
【技術分野】
【０００１】
本発明は、作業機に搭載された作業用エンジンの燃料供給装置に関し、さらに詳細には、作業機の前傾時にもエンジンが停止しないようにキャブレタに燃料を供給する作業用エンジンの燃料供給装置に関する。
【背景技術】
【０００２】
管理機等の歩行型作業機は、機体に取付けられた耕耘用ロータによって作業を行う。運転中の歩行型作業機は、機体に取付けられた操縦用ハンドルを把持する作業者と、機体下部に車軸を介して取り付けられた二輪のタイヤとによって支えられている。歩行型作業機は、作業者が操縦用ハンドルを進行方向に向けることによって容易に機体の向きを変更できるように構成されている。
【発明の開示】
【発明が解決しようとする課題】
【０００３】
このような歩行型作業機では、作業状況によって機体の姿勢が容易に変わる。機体の姿勢が変ると、歩行型作業機の運転性に悪影響が生じる場合がある。例えば歩行型作業機がに傾斜すると、作業機に搭載された作業用エンジンの燃料タンクも傾斜する。燃料タンクが傾斜すると、燃料タンク内の油面とキャブレタとの高低差が小さくなる。このように高低差が小さいと、燃料は、燃料タンクからキャブレタへと燃料供給を行う燃料供給管内の抵抗により、キャブレタに充分に供給されないおそれがある。この結果、作業用エンジンの運転性が不安定になったり、最悪の場合には作業用エンジンが停止するおそれがある。
【０００４】
本発明は、上記問題を解決すると共に、作業機が傾斜しても、燃料を燃料タンクからキャブレタに円滑に供給する燃料供給装置を提供することを目的とする。
【課題を解決するための手段】
【０００５】
本発明は、作業用エンジン３のキャブレタ１２上方に配置された燃料タンク９と、燃料タンク９からキャブレタ１２に配管された燃料供給管１０と、燃料供給管１０の途中に設けられた燃料コック１１とを備える作業用エンジンの燃料供給装置であって、燃料タンク９には、作業機１の前後方向に亘ってメインタンク室９ａおよびサブタンク室９ｂそれぞれが順次設けられ、燃料供給管１０はメインタンク室９ａおよびサブタンク室９ｂそれぞれから燃料コック１１を介してキャブレタ１２に配管され、燃料コック１１は、開いた状態では、メインタンク室９ａおよびサブタンク室９ｂの両方が燃料供給管１０を介してキャブレタ１２に常時連通するように設けられ、これにより上記目的が達成される。
【発明の効果】
【０００６】
本発明の作業用エンジンの燃料供給装置では、キャブレタ１２上方に配置された燃料タンク９には作業機１の前後方向に亘ってメインタンク室９ａおよびサブタンク室９ｂが順次設けられ、メインタンク室９ａおよびサブタンク室９ｂそれぞれから燃料供給管１０が燃料コック１１を介してキャブレタ１２に配管されている。これにより作業機１が傾斜しても、キャブレタとの高低差がより大きいメインタンク室９ａおよびサブタンク室９ｂのいずれか一方から燃料供給管を介してキャブレタ１２に確実に燃料供給が行われる。
さらに、このキャブレタ１２への燃料供給の途中にて、燃料は燃料コック１１に流入されるが、燃料が燃料コック１１に流入する際には燃料中にベーパーが生じる場合がある。このベーパーがキャブレタ１２内に送られると、エンジンストップの原因となる。本発明の作業用エンジンの燃料供給装置では、燃料コック１１は、開いた状態では、メインタンク室９ａおよびサブタンク室９ｂの両方が燃料供給管１０を介してキャブレタ１２に常時連通するように設けられている。これにより燃料中のベーパーは、メインタンク室９ａおよびサブタンク室９ｂの一方のタンク室からの供給量が多い場合には、他方のタンク室に抜けることになる。この結果、キャブレタ１２にベーバーを含まない燃料が供給され、エンジンストップの生じない円滑な燃料供給が可能になる。
【０００７】
以上により、本発明の作業用エンジンの燃料供給装置では、作業機が傾斜しても、燃料を燃料タンクからキャブレタに円滑に供給する燃料供給装置を提供することを可能にする。
【発明を実施するための最良の形態】
【０００８】
以下、本発明の実施形態を図面を参照して説明する。
図１は、本発明の実施形態である燃料供給装置が備えられた作業機の一例である。
作業機１は、ミッションケース２と、作業用エンジン３と、耕耘用ロータ取付けヒッチ４と、操縦ハンドル５とを備える。ミッションケース２には、二輪のタイヤ６が両端に取付けられた車軸７と、ＰＴＯ軸（図示せず）とが備えられている。この車軸７の架設方向を鉛直軸中心に９０°回転させた方向を作業機１の前後方向とし、その一方を前として、ミッションケース２前側面には搭載用フレーム８が連結され、搭載用フレーム８に作業機用エンジン３が搭載されている。この作業用エンジン３の上部には作業用エンジン３前後方向に亘って燃料タンク９が配置されている。ミッションケース２後側面には耕耘用ロータ取付けヒッチ４が組み付けられ、ミッションケース２上部には、後方に延びる操縦ハンドル５が変速レバーと共に設けられている。
【０００９】
本実施形態の燃料供給装置は、燃料タンク９と、燃料供給管１０と、燃料コック１１とを備える。
燃料タンク９は、作業機の車軸を回転させる作業用エンジンのキャブレタ１２の上方、具体的には、キャブレタ１２の前上方から後上方に亘って配置されている。燃料タンク９には、作業機１の前後方向にメインタンク室９ａおよびサブタンク室９ｂそれぞれが順次設けられている。メインタンク室９ａの少なくとも一部はキャブレタ１２の前上方に配置され、サブタンク室９ｂの少なくとも一部はキャブレタ１２の後上方に配置されている。
【００１０】
メインタンク室９ａとサブタンク室９ｂとは、例えば仕切壁によって燃料タンク９の前後に仕切られている。仕切壁の上部には、メインタンク室９ａとサブタンク室９ｂとの間で燃料が移動できるように開設口１４が設けられている。メインタンク室９ａの上内壁には、外部から燃料タンク９に燃料補給するように燃料補給口が開口されている。燃料補給口には燃料キャップ１３が装着されている。燃料が燃料タンク９に補給される場合、燃料は、一旦、燃料補給口を介してメインタンク室９ａに供給される。次いで、燃料の油面高さが開設口１４に至ると、燃料は、開設口１４を介してメインタンク室９ａからサブタンク室９ｂに供給される。供給された燃料は、作業機１が前後に揺動しても、油面高さが開設口１４に至らない限りは、メインタンク室９ａとサブタンク室９ｂとの間を移動することはない。
【００１１】
燃料供給管１０は、燃料タンク９から燃料コック１１を介してキャブレタ１２に配管されている。燃料供給管１０は、燃料タンク９と燃料コック１１との間では、二本の供給管がメインタンク室９ａおよびサブタンク９ｂ室それぞれの底面から延び、途中にて合流した上で燃料コック１１に接続されるように構成されている。
【００１２】
燃料コック１１は、燃料供給管１０の途中にて設けられ、例えばキャブレタ１２より前下方に設けられている。燃料コック１１は、燃料供給時に開かれ、燃料供給停止時には閉じられる。燃料コック１１が開いた状態では、燃料コック１１は、メインタンク室９ａおよびサブタンク室９ｂの両方が燃料供給管１０を介してキャブレタ１２に常時連通するように設けられている。燃料コック１１が閉じられた状態では、燃料コック１１は、メインタンク室９ａおよびサブタンク室９ｂとキャブレタ１２との間を遮断する。
【００１３】
本実施形態にて説明した燃料タンクは二層に仕切られていたが、三層以上に仕切られていてもよい。
また、本実施形態にて説明した燃料タンクはメインタンク室およびサブタンク室が設けられていたが、燃料タンクは一層式の別々の燃料タンクから構成されてもよい。
また、本実施形態にて説明した燃料タンクでは、メインタンク室とサブタンク室との間を燃料が移動できるような開設口を設けているが、メインタンク室およびサブタンク室の上内壁面それぞれに燃料補給口が設けられるようにしてもよい。
【００１４】
以上のように説明してきた作業用エンジンの燃料供給装置は、本発明の一実施形態に過ぎず、本発明は、この実施形態に限定されることはなく、請求の範囲に基く技術的範囲内で適宜変更して実施することができる。
【図面の簡単な説明】
【００１５】
【図１】本発明の実施形態である燃料供給装置が備えられた歩行型作業機の一例を示す側面図である。
【符号の説明】
【００１６】
１…作業機
２…ミッションケース
３…作業機用エンジン
４…耕耘用ロータ取付けヒッチ
５…操縦ハンドル
６…タイヤ
７…車軸
８…搭載用フレーム
９…燃料タンク
９ａ…燃料タンク
９ｂ…燃料タンク
１０…燃料供給管
１１…燃料コック
１２…キャブレタ
【図１】
2006274879.tif 000003